(57)【要約】      （修正有）【課題】電車内で雨天時において傘を保持する為にはほとんど手を使うため、晴天時の読書に比べ雨天時の読書は不便である。このため、両手が傘から離れて読書に使えるための傘ホルダーを提供する。【解決手段】傘を収納する防水機能付きの傘袋の上部左右に穴を開け、その傘袋に傘を収納し、ベルトを傘袋の穴と傘の柄に通しこれにより傘と傘袋を吊り下げて、そのベルトを自己の首に回し、傘と傘袋を体前面に密着させて保持する。そして、傘の保持から開放された両手を読書や他の目的に回すことが出来、雨天時でも晴天時と変わりない利便性を享受できる。なお、この方式は着席、立席とも利用可能である。【選択図】図１
0003162001.tif 000002
【実用新案登録請求の範囲】
【請求項１】
雨天時における電車内での読書や携帯電話機その他の、両手を使用する必要があるときの、傘の効率的且つ便利な傘の保持を特徴とする、傘と傘袋、それらを吊り下げるベルトによる傘ホルダー。
【請求項２】
前記傘ホルダーに、傘袋上部左右両端にベルト挿入用の穴を開け、ベルトでその傘袋と傘の柄を吊り下げられるようにして、ベルトを自己の首に回し引っ掛けて保持することを特徴とする請求項1記載の傘ホルダー。
【請求項３】
前記傘ホルダーに使用するベルト及び傘袋は、ベルトについては通常市販されている、ウエスト・ポーチのベルトのようなコネクタ方式で着脱できる特徴を有し、できるだけベルトの幅も小さくする。また、傘袋は完全防水機能付きで、あらゆる傘が収納出来る大きさを持つことを特徴とする請求項1または請求項2記載の傘ホルダー。
【考案の詳細な説明】
【技術分野】
【０００１】
本考案は、通勤用電車内で時間潰しに読書をする人が多いが、雨の日は手で傘を持つために本を握るのに不便であり、両手が使えるような傘ホルダーに係わる。
【背景技術】
【０００２】
雨天時における傘携帯者の読書方法としては、着席時には片方の手で傘を立てて持ち、その手と他方の手で本を持ち、両手の指先で窮屈そうにページをめくっている。
【０００３】
また、膝の上の鞄や女性のバッグの握り部分に、傘の柄を引っ掛けて両手を放して読書をする方法。このやり方では、傘の先が前に立っている人の方に飛び出すため、両足で傘を囲うようにして、前の人に当たらないように神経を使っている。
【０００４】
なお、座席の下に傘を横たえて、両手を傘から放し読書をする方法の人も見かける。
【０００５】
さらに、立っている人の中には、背広のポッケトに傘の柄を引っ掛けて、傘を垂直に下に垂らして両手を使っている人もおり、千差万別である。いずれの方法にしても、不便さが付きまとっている。
【０００６】
特許文献1においては、傘袋に閉じ糸を通し、静止物体にフックで引っ掛け、糸の長さを調節することにより傘を保持することが提案されている。
【０００７】
特許文献2においては、傘袋の上部に腕を通したり、肩に掛けたりするための引っ掛けの部分を設け、両手の自由度を確保することが提案されている。
【先行技術文献】
【特許文献】
【０００８】
【特許文献１】特許公開2009-261696
【特許文献２】特許公開平9-154612
【非特許文献】
【０００９】
【非特許文献１】防水傘袋（手提タイプ）            http://www.e-kasaya.jp/kasa holder2thml
【非特許文献２】「エチケット傘袋」グーライフ            http://goolife.co.jp/kasa/
【考案の概要】
【考案が解決しようとする課題】
【００１０】
しかしながら、特許文献1の方法では、立席、着席いずれの場合でも糸の長さの調節が煩雑に感じられ、特に着席時には、傘を床に立てるので、傘袋上端開口部と腰のベルト間にどうしてもある程度の糸の長さが発生し、傘が不安定となり、傘の保持にいやでも手を必要とする。そのため、腰のベルトまで糸を縮めると、傘の先が前に立っている人の足の間に飛び出す恐れもあるというところで、本発明と構成を異にする。
【００１１】
また、特許文献2の腕や肩に引っ掛ける方法は、着席時には傘が隣の人に接触したり、肩からのずれ落に気持ちが分散され、読書等に集中出来にくいという点で本発明と構成を異にする。
【００１２】
前述のごとく、傘を片手で保持して読書をするのは、どうしても不便な為か最初からあきらめて、晴天時に比べそこまで無理して読書する人はかなり少ないようであり、読書好きの人の楽しみを奪っている。
【００１３】
また、鞄等に傘の柄を引っ掛ける方法では傘の保持にも気を使い、神経が分散され落着いて読書に集中出来ない。
【００１４】
本考案はこのような点に鑑みて成されたものであり、合成樹脂性防水機能付きの傘袋に、ベルトが通るための穴を開け、傘袋に傘本体を入れ、両者ともにベルトで吊り下げて、そのベルトを首に回して、人間の首を傘引っ掛け道具として利用する。
【００１５】
こうすることにより、傘が体の前面に引き寄せられ、両足の間に挟まり傘の先が前の方に飛び出すことも無く、傘が体の中心に位置し、さらに傘の水滴が自分自身も含め隣の人にも付着することも無く迷惑を与えない。このようにして両手を傘から完全に離すことが出来、自由に読書等に使える。
【００１６】
さらに本考案は、着席時のみでなく、立席のときでも傘が首から下に垂れ下がるだけで、前方着席者の人に当たらないよう注意すれば、使用範囲を広げることが出来る。
【課題を解決するための手段】
【００１７】
傘を傘袋に入れベルトで傘と傘袋を吊り下げ、そのベルトを自己の首に回して傘と傘袋を保持する。
【００１８】
傘袋にベルトを通す穴を上部左右に２個所設ける。その穴にベルトを通して吊り下げる。
【００１９】
ベルトは長さを約50ｃｍ位にし、両端にコネクタを設けワンタッチで簡単に着脱出来る構造とする。傘袋の長さは、平均的な傘の長さより少し長めに作っておき、石突きで傘袋の底部を傷つけないように余裕を持たせ、種々の傘に対応できるように作る。
【考案の効果】
【００２０】
雨天時の車内での読書は、どうしても傘を保持する為に主に手が必要となり、その分読書時の本の扱いが不便になりがちである。このため、本考案によれば両手を傘から完全に離すことができ、傘の保持に全く神経を使う必要が無くなり、読書はもとより、携帯電話機、ノートパソコン等の操作が大変便利になる。
【００２１】
本考案の部材は、いま市販されているものを多少変更するだけで済み、他の方式による材料費よりも安価に作成することが期待出来る。
【考案を実施するための形態】
【００２２】
以下、本考案の電車内読書時傘ホルダー実施の最良の形態について、図面に基づき具体的に説明する。
【００２３】
図1は着席時における本考案の実施例を示すものであり、首にベルトで保持した傘と傘袋が、その自己の両足の中に収まり、周囲の人への水滴の付着の恐れもなく、何一つ気兼ねすることなく読書等に専念できる。
【００２４】
図2は立席時における実施例を示すが、傘が乗り物の揺れにより着席している人の体に当たらないように注意すれば、立っているときでも本考案の利用範囲は拡大できる。
【図面の簡単な説明】
【００２５】
【図１】着席時における、傘を自己の体に引き付けて利用する構成図である。
【図２】立席における、傘を垂直に垂らして利用する構成図である。
【図１】
0003162001.tif 000003
【図２】
0003162001.tif 000004
【手続補正書】
【提出日】平成22年6月11日(2010.6.11)
【手続補正１】
【補正対象書類名】実用新案登録請求の範囲
【補正対象項目名】請求項３
【補正方法】変更
【補正の内容】
【請求項３】
前記傘ホルダーに使用するベルト及び傘袋は、ベルトについては通常市販されているウエスト・ポーチのベルトのようなコネクタ方式で着脱できる特徴を有し、できるだけベルトの幅も小さくし、傘袋は完全防水機能付きで、あらゆる傘が収納出来る大きさを持つことを特徴とする請求項1または請求項2記載の傘ホルダー。